(57)【要約】      （修正有）【課題】製造コスト、輸送コスト、および保管コストの低減、並びに、組み立て容易性を実現した間仕切りおよび組立式間仕切り用の骨組み部材を提供する。【解決手段】組立式間仕切り用の骨組み部材は、支柱材１３ａと梁材１３ｂを継ぐジョイント部材１２ａ、１２ｂ、１２ｃと、支柱材１３ａを起立して支持する支柱台１１を備えている。ジョイント部材１２ａ〜１２ｃは、３軸方向に延伸する管体からなり、これらの管体に支柱材１３ａや梁材１３ｂを挿入することで支柱材１３ａと梁材１３ｂが継がれる。支柱台１１は、１軸方向に延伸する管体と平板からなり、この管体に支柱材１３ａを挿入することで支柱材１３ａが起立して支持される。【選択図】図７
0003229474.tif 000002
【実用新案登録請求の範囲】
【請求項１】
組立式間仕切り用の骨組み部材ユニットであって、
支柱材と梁材を継ぐジョイント部材と、
前記支柱材を起立して支持する支柱台を備え、
前記ジョイント部材は、３軸方向に延伸する管体からなり、これらの管体に前記支柱材や前記梁材を挿入することで該支柱材と該梁材が継がれ、
前記支柱台は、１軸方向に延伸する管体と平板からなり、この管体に前記支柱材を挿入することで該支柱材が起立して支持される、組立式間仕切り用の骨組み部材ユニット。
【考案の詳細な説明】
【技術分野】
【０００１】
本考案は、間仕切りおよび組立式間仕切り用の骨組み部材に関する。
【背景技術】
【０００２】
従来、避難所においてカーテンを用いた簡易間仕切り（特許文献１参照）が知られている。
【先行技術文献】
【特許文献】
【０００３】
【特許文献１】特開２０１６−２１６９１７号公報
【考案の概要】
【考案が解決しようとする課題】
【０００４】
しかし、特許文献１に示す間仕切りは、四脚の柱フレームのユニットによって構成されるため、製造または販売場所から保管場所までの輸送コストが高くなるという問題がある。また、２つの区画を形成する場合においては、二つの四脚の柱フレームのユニットが必要となるという問題がある。
【０００５】
本考案の目的は、製造コスト、輸送コスト、および保管コストの低減、並びに、組み立て容易性を実現した間仕切りおよび組立式間仕切り用の骨組み部材を提供することである。
【課題を解決するための手段】
【０００６】
上記目的は、
組立式間仕切り用の骨組み部材ユニットであって、
支柱材（１３ａ）と梁材（１３ｂ）を継ぐジョイント部材（１２ａ、１２ｂ、１２ｃ）と、
前記支柱材を起立して支持する支柱台（１１）を備え、
前記ジョイント部材は、３軸方向に延伸する管体からなり、これらの管体に前記支柱材や前記梁材を挿入することで該支柱材と該梁材が継がれ、
前記支柱台は、１軸方向に延伸する管体（１１ａ）と平板（１１ｂ）からなり、この管体に前記支柱材を挿入することで該支柱材が起立して支持される、組立式間仕切り用の骨組み部材ユニット
によって達成される。
【考案の効果】
【０００７】
本考案によれば、製造コスト、輸送コスト、および保管コストの低減、並びに、組み立て容易性を実現した間仕切りおよび組立式間仕切り用の骨組み部材を提供することができる。
【図面の簡単な説明】
【０００８】
【図１】本考案の第一の実施形態による間仕切り１の使用状態を説明する斜視図である。
【図２】本考案の第一の実施形態による間仕切り１に用いられる間仕切り骨組１０の正面図である。
【図３】本考案の第一の実施形態による間仕切り１に用いられる間仕切り骨組１０の平面図で。
【図４】本考案の第一の実施形態による間仕切り１に用いられる支柱台１１の斜視図である。
【図５】本考案の第一の実施形態による間仕切り１に用いられるジョイント部材１２ａ、１２ｂ、１２ｃの斜視図である。
【図６】本考案の第一の実施形態による間仕切り１のカーテン２０ｂの取付状態を説明する図である。
【図７】本考案の第二の実施形態による間仕切り２の斜視図である。
【考案を実施するための形態】
【０００９】
図１〜図６を用いて、本考案の第一の実施形態による間仕切り１を説明する。なお、以下の全ての図面においては、理解を容易にするため、各構成要素の寸法や比率などは適宜異ならせて図示している。
【００１０】
図１は、間仕切り１の使用状態の斜視図である。図１に示すように、間仕切り１は、間仕切り骨組み１０と間仕切り用のカーテン２０ａ、２０ｂからなる。本実施形態の間仕切り１は、略方形状の部屋が４個設けられる構成であるが、部屋が３個以下であってもよいし、５個以上であってもよい。本実施形態の間仕切り１の間仕切り骨組み１０と間仕切り用のカーテン２０ａ、２０ｂを所定数用いることで、任意にｍ×ｎの配列の部屋を区画形成することが可能となる。
【００１１】
図２は、間仕切り骨組み１０の正面図であり、図３は、間仕切り骨組み１０の平面図である。間仕切り骨組み１０は、９個の支柱台１１、６個のジョイント部材１２ａ、２個のジョイント部材１２ｂ、１個のジョイント部材１２ｃ、９本の支柱材１３ａ、及び１２本の梁材１３ｂからなる。また、正面側及び背面側の梁材１３ｂ、およびジョイント部材１２ａ、１２ｂにカーテンレール１５が設けられ、カーテンレール１５にカーテン２０ａが吊るされる。また、図６に示すように、側面及び内側に設けられた梁材１３ｂ、およびジョイント部材１２ａ、１２ｂ、１２ｃに面ファスナー１７が設けられ、面ファスナー１７にカーテン２０ｂが貼り付けられる。また、間仕切り骨組み１０に用いられる支柱材１３ａ、梁材１３ｂは、木材（角材）で構成されるが、木材以外の材料、例えば、樹脂、金属の棒状部材が用いられてもよい。
【００１２】
図４は、支柱台１１の斜視図である。支柱台１１は、金属で構成されるが、防錆や強度の観点においてステンレスが好適である。支柱台１１は、鉛直方向に延伸する管体１１ａと管体１１ａを支持する平板１１ｂからなる。平板１１ｂには、切り欠けｂ１が設けられる。切り欠けｂ１の横幅は、管体１１ａの横幅と同じ長さとなる（少なくとも管体１１ａの横幅よりも長くなる）ように構成される。この切り欠けｂ１に別の支柱台１１の管体１１ａを通すことが可能となるため、複数の支柱台１１を重ね合わせることが可能となる。
【００１３】
図５は、ジョイント部材１２ａ、１２ｂ、１２ｃの斜視図である。ジョイント部材１２ａ〜１２ｃは、金属で構成されるが、防錆や強度の観点においてステンレスが好適である。ジョイント部材１２ａは、１本の支柱材１３ａと２本の梁材１３ｂのジョイント部材であり、間仕切り１のコーナーに設けられる。ジョイント部材１２ｂは、１本の支柱材１３ａと３本の梁材１３ｂのジョイント部材であり、間仕切り１の外側の節点に設けられ、ジョイント部材１２ｃは、１本の支柱材１３ａと４本の梁材１３ｂのジョイント部材であり、間仕切り１の内側の節点に設けられ。また、ジョイント部材１２ａ、１２ｂ、１２ｃの管の形状は方形であり、上部に梁材１３ｂを固定するためのビス孔が設けられる。
【００１４】
このように、本実施形態の間仕切り１の間仕切り骨組み１０は、支柱材１３ａ、ジョイント部材１２ａ、１２ｂ、１２ｃが用いられるため、支柱材及び梁材に一般的に流通している木材を用いることが可能となる。このため、支柱材１３ａ、ジョイント部材１２ａ、１２ｂ、１２ｃのみを輸送し、支柱材及び梁材については利用者がホームセンター等で購入した木材を利用することで間仕切り１を設置することが可能となるため、輸送コストや保管コストの大幅な削減が可能となる。
【００１５】
図７を用いて、本考案の第二の実施形態による間仕切り２を説明する。なお、本実施形態と上述の第一の実施形態と同じ構成については符号を同一にすることでその説明を省略する。
【００１６】
間仕切り２は、上述の骨組み１０とカーテン２０ａ、２０ｂ、及び母屋材１３ｃ、天幕２０ｃからなる。間仕切り２は、前後の梁材１３ｂに２本の母屋材１３ｃをかけ、その上から天幕２０ｃを覆う構成である。なお、天幕２０ｃは、梁材１３ｂに設けられた面ファスナーに貼り付けられる。このように、本実施形態の間仕切り２は、天幕が設けられるため野外において雨露を防ぐことができる。
【００１７】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【００１８】
本考案は、上述に示した避難所や野外に設置される間仕切り以外のあらゆる間仕切りにおいても適用可能である。
【産業上の利用可能性】
【００１９】
本考案は、間仕切りにおいて広く利用可能である。
【符号の説明】
【００２０】
１、２  間仕切り
１０  間仕切り骨組み
１１  支柱台
１２ａ、１２ｂ、１２ｃ  ジョイント部材
１３ａ  支柱材
１３ｂ  梁材
１５  カーテンレール
１７  面ファスナー
２０ａ、２０ｂ  カーテン
２０ｃ  天幕
【図１】
0003229474.tif 000003
【図２】
0003229474.tif 000004
【図３】
0003229474.tif 000005
【図４】
0003229474.tif 000006
【図５】
0003229474.tif 000007
【図６】
0003229474.tif 000008
【図７】
0003229474.tif 000009